(57)【要約】【課題】現場への搬入並びに施工時の取り扱いが容易で、施工時に躯体下地表面を覆う樹脂製防水層を損傷する危険性がないと共に、躯体下地の不陸にも容易に追随して樹脂製防水層表面にしっかりと容易に固着させることができる緑化用見切り材を提供すること。【解決手段】樹脂製防水層Ｂの表面に固着される平板状の水平部１と、該水平部に対して鉛直状に起立突設した平板状の鉛直部２からなり、水平部１の全部又は一部を前記防水層Ｂと同種または同系統の軟質樹脂からなる軟質固着部１２で形成し、上記鉛直部２を硬質樹脂で形成した。【選択図】    図１
2004244932.tif 000002
【特許請求の範囲】
【請求項１】
建築物の躯体下地表面を覆う樹脂製防水層の上面に植栽マット又は植栽トレイを敷設することにより形成された植栽緑化域と非植栽緑化域を仕切るための緑化用見切り材であって、前記樹脂製防水層の表面に固着される平板状の水平部と、該水平部に対して鉛直状に起立突設した平板状の鉛直部からなり、上記水平部が前記樹脂製防水層と同種または同系統の軟質樹脂で形成され、上記鉛直部が硬質樹脂で形成されていることを特徴とする屋上緑化用見切り材。
【請求項２】
請求項１記載の屋上緑化用見切り材において、前記水平部の一部が前記樹脂製防水層と同種又は同系統の軟質樹脂からなる軟質固着部で形成され、前記水平部の一部並びに前記鉛直部が硬質樹脂で形成されていることを特徴とする屋上緑化用見切り材。
【請求項３】
前記鉛直部における前記水平部の近傍位置に、植栽緑化域と非植栽緑化域を連通させる排水孔を開設してなる請求項１又は２に記載の屋上緑化用見切り材。
【請求項４】
建築物の躯体下地表面を覆う樹脂製防水層の上面に植栽マット又は植栽トレイを敷設した後、前記請求項１又は２に記載の見切り材の水平部又は鉛直部を上記植栽マット又は植栽トレイの周囲に突き合せながら当該水平部を防水層に溶着又は融着又は接着し、且つ見切り材同士の端部を互いに突合わせて前記水平部の上から防水層上面にわたり増し張りシートまたはジョイナー役物を重ね合わせて溶着又は熱融着又は接着接合し、見切り材同士の端部を互いに突合わせて形成されるコーナー部はコーナー部出隅・入隅用役物で接合するようにしたことを特徴とする見切り材の施工方法。
【発明の詳細な説明】
【０００１】
【発明の属する技術分野】
本発明は、屋上（陸屋根）やベランダ等における緑化を目的として建築物の躯体下地表面を覆う樹脂製防水層の上面に植栽マット又は植栽トレイを敷設することにより形成された植栽緑化域と植栽マット又は植栽トレイが敷設されていない非植栽緑化域とを仕切るための緑化用見切り材及び同見切り材の施工方法に関するものである。
ちなみに、屋上やベランダ等に植栽マット又は植栽トレイを敷設することにより形成される緑化を、省管理型薄層緑化と称する。
【０００２】
【従来の技術】
近年、ヒートアイランド現象の緩和や二酸化炭素の低減等の環境問題や精神的癒し等を求めて、ビルの屋上や一般住宅のベランダ等に植栽マット又は植栽トレイを敷設して省管理型薄層緑化を行なうことが盛んになってきている。
しかし、省管理型薄層緑化では、植栽マット又は植栽トレイに盛った軽石，火山瀝，パーライト等の多孔質粒土や、腐葉土，赤土等の培土が潅水や雨水により流出しやすいため、従来では植栽緑化域と非植栽緑化域の境界部分に、モルタル成形板，ガラス繊維補強モルタル成形板（ＧＲＣ成形板）やレンガ等の無機質系ブロック、或いはアルミニウム，ステンレス等の金属成形板等からなる見切り材を設置していた。
尚、本願出願人が知っている上記の先行技術は、文献公知発明に係るものではないため、本願明細書には先行技術文献情報を開示しない。
【０００３】
【従来技術の課題点】
しかしながら、これら従来の見切り材は、培土の流出防止には効果があるが、１つひとつが比較的重いために現場への搬入並びに施工時の取り扱いが大変であるだけでなく、施工時に建築物の躯体下地表面を覆う防水層を損傷する事故を発生しやすかった。しかも、ＧＲＣ成形板や金属成形板を見切り材として使用する場合は枠組みをしてボルト止めをするなど組み立て作業そのものが煩雑となり、更に防水層の改修時において、設置された見切り材の撤去作業が大変であった。
【０００４】
【発明が解決しようとする課題】
本発明はこのような現状に鑑みてなされたものであり、現場への搬入並びに施工時の取り扱いが容易で、施工時に建築物の躯体下地表面を覆う樹脂製防水層を損傷する事故の発生がほとんどないと共に、躯体下地の不陸にも容易に追随して樹脂製防水層の表面にしっかりと容易に固着させることができる緑化用見切り材及びその施工方法を提供せんとするものである。
【０００５】
【課題を解決するための手段】
上記の目的を達成する本発明の請求項１に係る緑化用見切り材は、建築物の躯体下地表面を覆う樹脂製防水層の上面に植栽マット又は植栽トレイを敷設することにより形成された植栽緑化域と非植栽緑化域を仕切るための緑化用見切り材であって、前記樹脂製防水層の表面に固着される平板状の水平部と、該水平部に対して鉛直状に起立突設した平板状の鉛直部からなり、上記水平部が前記樹脂製防水層と同種または同系統の軟質樹脂で形成され、上記鉛直部が硬質樹脂で形成されていることを特徴としたものである。
また、請求項２に係る緑化用見切り材は、前記水平部の一部が前記樹脂製防水層と同種又は同系統の軟質樹脂からなる軟質固着部で形成され、前記水平部の一部並びに前記鉛直部が硬質樹脂で形成されていることを特徴としたものである。
この際、前記鉛直部における前記水平部の近傍位置に、植栽緑化域と非植栽緑化域を連通させる排水孔を開設することが好ましい（請求項３）。
また、本発明の緑化用見切り材の施工方法は、建築物の躯体下地表面を覆う樹脂製防水層の上面に植栽マット又は植栽トレイを敷設した後、前記請求項１又は２に記載の見切り材の水平部又は鉛直部を上記植栽マット又は植栽トレイの周囲に突き合せながら当該水平部を防水層に溶着又は融着又は接着し、且つ見切り材同士の端部を互いに突合わせて前記水平部の上から防水層上面にわたり増し張りシートまたはジョイナー役物を重ね合わせて溶着又は熱融着又は接着接合し、見切り材同士の端部を互いに突合わせて形成されるコーナー部はコーナー部出隅・入隅用役物で接合するようにしたことを特徴としたものである（請求項４）。
【０００６】
【実施例】
以下、本発明の好適な実施の態様について、図面を参照しながら詳細に説明するが、本発明は図示した実施例に限定されるものではない。
本発明に係る見切り材Ａは基本的に、樹脂製防水層Ｂの表面に固着される平板状の水平部１と、該水平部１に対して鉛直状に起立突設される平板状の鉛直部２からなり、断面略逆Ｔ字形状又は略Ｌ字形状に形成される。
【０００７】
水平部１は、建築物の躯体下地Ｃ表面を覆う樹脂製防水層Ｂの表面に直接溶剤で溶着するか又は熱融着するか又は接着剤で接着される部分であり、防水層Ｂとなじみやすい同種または同系統の柔軟性を有する軟質の樹脂を用いて、適当な厚みと大きさ形状をした平板形状に形成してなる。この際、水平部１全体を軟質樹脂で形成しても良いが、鉛直部２との境界周辺部分１１は鉛直部２と同一体に硬質の樹脂材で成形し、残りの部分は防水層Ｂと同種または同系統の柔軟性を有する軟質の樹脂で形成し、当該部分（軟質固着部１２）を防水層Ｂに溶着又は熱融着又は接着することが好ましい。そうすれば、鉛直部２の支持強度を確保しつつ、水平部１すなわち軟質固着部１２を防水層Ｂの表面に溶着又は熱融着又は接着するときに、防水層Ｂに対する接合性並びに下地Ｃへの不陸に対する追随性を良好なものとすることが可能となる。
【０００８】
水平部１の境界周辺部分１１と軟質固着部１２の配分としては、図１に示した第１実施例では、水平部１のほぼ中央位置に鉛直状に突設した鉛直部２に対して鉛直部２から２〜５ｍｍ程度の幅を残して片側にのみ軟質固着部１２を形成し、図３に示した第２実施例では、鉛直部２に対して鉛直部２から２〜５ｍｍ程度の幅を残して残りの水平部２を全て軟質固着部１２としたものである。
更に、図示した実施例以外の構造として、鉛直部２と同一体に硬質樹脂で形成される境界周辺部分１１の下面側の一部又は全面に軟質固着部１２を一体積層して水平部１を形成することも考えられる。
なお、第１実施例のように片側にのみに軟質固着部１２を形成する場合、施工に際して植栽緑化域側（図面上の左側）を硬質とし非植栽緑化域側（図面上の右側）を軟質固着部１２となるように配置したほうが施工性が良くなることは理解されるだろう。
【０００９】
更に水平部１は、その厚みを例えば１．５〜３．０ｍｍ程度とし全体の幅を例えば２０〜８０ｍｍほどに形成し、そのうち硬質樹脂で形成される境界周辺部分１１は鉛直部２から２〜５ｍｍ程度の幅に形成せしめ、残りの部分を軟質固着部１２として形成する。水平部１の厚みが１．４ｍｍ以下では風圧等に対する支持強度が不足して鉛直部２をしっかりと支持することが難しくなり、３．１ｍｍ以上に厚く形成しても過剰強度とコスト高になるので好ましくない。また、水平部１の幅が１９ｍｍ以下では設置納まり性が悪くなり、８１ｍｍ以上の幅広に形成すると設置納まりは良くなるが、防水層Ｂに対する固着作業性が悪くなるので好ましくない。
【００１０】
鉛直部２は、植栽緑化域と非植栽緑化域とを仕切って植栽緑化域側の培土流出を防止するためのものであり、硬質性の樹脂で水平部１と同一体に剛性を有する平板状に形成すると共に、水平部１に対して鉛直状に起立突設して形成される。この場合、鉛直部２は水平部１に対して任意の位置に起立突設することが可能であるが、防水層Ｂへの設置の容易性を考慮して、水平部１のほぼ中央位置に起立突設して見切り材Ａを断面略逆Ｔ字形状に形成するか、或いは水平部１の一端辺に起立突設して見切り材Ａを略Ｌ字形状に形成することが好ましい。
【００１１】
鉛直部２の高さは植栽トレイＤより少し高く、好ましくは植栽トレイＤの高さより５〜１５ｍｍ程度高く形成すれば、植栽緑化域側からの培土の流出を防ぐことができる。
また、鉛直部２の先端部分２１は上方へ向けストレート（真っ直ぐ）に形成しても良いが、図示実施例のように植栽緑化域側に向けて５〜１５ｍｍ程突出するように折曲形成することが好ましい。そうすれば、鉛直部２の剛性を向上させることが出来ると同時に、植栽緑化域側からの培土の流出をより効果的に防ぐことができ、更には、鉛直部２の先端部分２１が上方へ向けてストレートに形成されている場合と比較して当該部分に衝突したときの安全性をより向上させることが可能となる。
【００１２】
更に、鉛直部２には、植栽緑化域側からの排水を阻害しないように、水平部１の近傍位置、具体的には水平部１から０〜１０ｍｍほど上の位置に、植栽緑化域側と非植栽緑化域側とを連通させる排水孔３を貫通状に開設する。排水孔３は、直径５〜１０ｍｍ程度の円形状又は楕円形状或いは長円形状に等に形成し、水平部１と平行に任意のピッチ、例えば１００ｍｍ間隔で開設する。
【００１３】
本発明に係る見切り材Ａは、押出成形により形成することが好ましい。すなわち、水平部１と鉛直部２を押出し成形により一体に形成すると同時に、水平部１を構成するところの硬質樹脂で形成される境界周辺部分１１と軟質の樹脂で形成される軟質固着部１２とを押出成形により一体成形するようにする。
また、本見切り材Ａを防水シート等の防水層Ｂの表面に溶剤溶着又は熱融着により接合固着できるように、水平部１の軟質固着部１２を形成する軟質樹脂と防水層Ｂの樹脂組成を同種または同系統にすることによりが好ましい。すなわち、防水層Ｂが塩化ビニル系樹脂で形成されている場合は、見切り材Ａの水平部１の軟質固着部１２を塩化ビニル系樹脂で形成し、防水層Ｂがオレフィン系熱可塑性エラストマーで形成されている場合は、見切り材Ａの水平部１の軟質固着部１２をオレフィン系樹脂又はオレフィン系熱可塑性エラストマーで形成することが好ましい。
【００１４】
本見切り材Ａを成形する樹脂としては、塩化ビニル系樹脂、ポリエチレン、ポリプロピレン、エチレン−酢酸ビニル共重合体、エチレン−（メタ）アクリル酸エステル共重合体などのオレフィン系樹脂、アクリル系樹脂、熱可塑性エラストマー（ポリエステル、スチレン系、ウレタン系、オレフィン系）、合成ゴム、天然ゴムなどが挙げられ、これらは単独または複数を併用して用いることができる。
この際、水平部１の一部及び鉛直部２を形成する硬質樹脂、並びに水平部１の軟質固着部１２を形成する軟質樹脂としては、上に挙げた樹脂の中から個別に選定して用いることも可能であるし、上に挙げた樹脂に添加する添加剤の添加量を調整することにより硬質化ないしは軟質化させて用いることも可能である。よってこのような観点から、本見切り材Ａを成形する樹脂として、塩化ビニル系樹脂を用いることがより好ましい。塩化ビニル系樹脂を用いれば、可塑剤の添加量で硬質から軟質まで自由に調整が可能であり、且つ防水層Ｂが塩化ビニル系樹脂製シートからなる場合に特に溶剤溶着で接合が可能となるので施工性もよくなる利点があるからである。本見切り材Ａを塩化ビニル系樹脂で成形する場合、具体的には、水平部１の境界周辺部分１１および鉛直部２は、樹脂１００部に対して可塑剤を０〜１０部程添加した硬質塩化ビニル系樹脂を用い、水平部１の軟質固着部１２は樹脂１００部に対して可塑剤を４０〜６５部程添加した軟質塩化ビニル系樹脂を用いると良い。
この際、本見切り材Ａを成形する樹脂に顔料を添加して所望の色に着色を施すことは任意であり、顔料としてノンカーボンで調合着色したものを用いることにより、太陽光の吸収が少なくなるので見切り材の温度上昇を抑制して寸法安定性等を向上させることが可能となる。
【００１５】
次に、本発明に係る見切り材Ａの施工方法について説明する。
本発明に係る見切り材Ａの施工法は、コンクリート下地，発泡コンクリート下地，木片セメント下地，合板下地，等からなる下地躯体Ｃの上面を被覆している樹脂製防水層Ｂの上面に見切り材Ａを、溶剤で溶着するか又は熱融着するか又は接着剤で接着固定するようにしたものである。
【００１６】
本発明が適用される防水層Ｂは、少なくともその表面（見切り材Ａが敷設される側の面）が樹脂で形成されていることを要する。すなわち、防水層Ｂは、樹脂材を用いて所要の厚さを有するシート状に形成された防水シート、または樹脂製塗料を用いて形成された防水性塗膜やアスファルト防水層、或いは、その表面が塩化ビニル系樹脂等の樹脂で被覆された樹脂被覆金属板などで形成されていることを要する。
【００１７】
防水層Ｂを防水シートで形成する場合、この種防水シートとして通常に用いられる、塩化ビニル系樹脂，オレフィン系樹脂，エチレン−酢酸ビニル共重合樹脂，熱可塑性エラストマー（オレフィン系，ウレタン系，ポリエステル系，スチレン系など），エチレン−（メタ）アクリル酸共重合体，エチレン−（メタ）アクリル酸エスレル共重合体，アクリル酸エステル樹脂，エチレン−プロピレンゴム，クロロプレンゴム等の熱可塑性合成樹脂が使用され、これらから選ばれた１種または２種以上に可塑剤，安定剤，充填剤，紫外線吸収剤，酸化防止剤，顔料等を必要に応じて適宜添加して、１．０〜３．０ｍｍ程度の厚みを有する軟質シート状に成形して使用する。この場合、均質シートでも良いし、中間層にポリエステル繊維，ガラス繊維などからなる不織布，織布，編布等が積層された複合シートであっても良い。
そして、軟質シート状に成形された防水シートを下地躯体Ａの上面に被せてディスクや板等で機械的に固定するか、エポキシ系樹脂，アクリルニトリル・ブタジエンゴム，スチレン・ブタジエンゴム，ウレタン樹脂，アクリル樹脂などの接着剤を用いて接着固定することにより防水層Ｂが形成される。
【００１８】
また、防水層Ｂを塗膜状防水材で形成する場合には、２液または１液の反応性のウレタン樹脂，エポキシ樹脂，ポリエステル樹脂等を用いて下地躯体Ａの上面に塗布し、必要に応じてガラス繊維等からなる織布または不織布を積層することにより形成される。
また、防水層Ｂを樹脂被覆金属板で形成する場合には、鋼板等の金属板の表面を軟質塩化ビニル系樹脂やオレフィン系熱可塑性エラストマーで被覆してなる周知の樹脂被覆金属板を用いて、該樹脂被覆金属板をそのまま下地躯体Ａの上面に被せて機械的に固定するかまたは折板に形成して屋根の上に機械的に固定することにより形成される。
アスファルト防水層は、ブロンアスファルト、改質アスファルト等を溶融コーティングすることなどにより形成される。
【００１９】
かくして、建築物の躯体下地Ｃ表面を覆う樹脂製防水層Ｂの上面に植栽マット又は植栽トレイＤを敷設した後、見切り材Ａの水平部１を防水層Ｂの上面に沿わせて水平部１又は鉛直部２を上記植栽マット又は植栽トレイＤの周囲に突き合せながら位置決めを行い、植栽マット又は植栽トレイＤと０〜５ｍｍ程間隔をおいて配設せしめる。そして、見切り材Ａの水平部１を防水層Ｂの上面に溶剤溶着又は熱融着又は接着剤を用いて固定する。
なお、見切り材Ａを防水層Ｂの上面に固着する場合に、水平部１の軟質固着部１２のみを防水層Ｂの上面に溶着又は熱融着又は接着固定せしめて、水平部１の硬質樹脂で形成されている部分は増し張りシートやコーナー部出隅・入隅用役物を用いてその上面から固定するようにする。そうすれば、防水層Ｂの改修時において既存の防水シートの上に重ね張りされる新規防水シートを傷付けることもなくなる。
【００２０】
具体的には、例えば、防水層Ｂが塩化ビニル系樹脂製シートからなり、水平部１の軟質固着部１２が軟質塩化ビニル系樹脂で形成されている場合は、塩化ビニル系樹脂を溶解するテトラヒドロフラン，シクロヘキサノン，メチルエチルケトン，メチルイソブチルケトン等の溶解性溶剤を用いて防水層Ｂの表面に刷毛等で塗布しながら水平部１の軟質固着部１２を防水層Ｂの表面に圧着し溶着固定するか、又は、水平部１の軟質固着部１２を熱風機で加熱しながら防水層Ｂの表面に圧着し融着固定するか、或いは塩化ビニル系樹脂を上記溶解性溶剤に溶解せしめてなる溶着溶液を塗布しながら水平部１の軟質固着部１２を防水層Ｂの表面に圧着して接着固定するようにする。
【００２１】
また、水平部１の軟質固着部１２が可撓性を有するエチレン−酢酸ビニル共重合樹脂で形成されている場合には、水平部１の軟質固着部１２裏面にウレタン系プライマー，特殊オレフィン系プライマー等を塗布して処理した後、ウレタン系接着剤，エポキシ系接着剤等を防水層Ｂの表面に塗布して、水平部１の軟質固着部１２を防水層Ｂの表面に接着固定するようにする。
【００２２】
更に、防水層Ｂがオレフィン系熱可塑性エラストマーからなり、水平部１の軟質固着部１２も可撓性を有するオレフィン系熱可塑性エラストマーで形成されている場合には、水平部１の軟質固着部１２を熱風機で加熱しながら防水層Ｂに圧着して融着固定するか、或いは防水層Ｂ及び水平部１の軟質固着部１２裏面にウレタン系プライマー，特殊オレフィン系プライマーを塗布処理した後、ウレタン系接着剤，エポキシ系接着剤，シリコン系接着剤等を塗布して、水平部１の軟質固着部１２を防水層Ｂの表面に接着固定するようにする。
【００２３】
更に、建築物の躯体下地表面が防水シートに代えてウレタン系，エポキシ系，ポリエステル系の防水性塗膜層からなる防水層Ｂで覆われている場合には、防水層Ｂ並びに水平部１の軟質固着部１２裏面にウレタン系プライマー，特殊オレフィン系プライマーを塗布処理した後、ウレタン系接着剤，エポキシ系接着剤，シリコン系接着剤等を塗布して接着固定するようにする。
また、建築物の躯体下地Ｃ表面がアスファルト防水層からなる防水層Ｂで覆われている場合には、見切り材Ａを固着しようとする防水層Ｂの表面部分に溶融アスファルトを塗布した後に、水平部１の少なくとも軟質固着部１２の裏面にプライマー処理を施し、見切り材Ａの水平部１を押し付けて接合することにより固着するようにする。
【００２４】
一方、長尺状に形成された見切り材Ａ同士を長手方向に連続して配設する場合には、見切り材Ａの端末部分同士を突合わせ、その状態で当該突合わせ部分を中心にして水平部１の上面から防水層Ｂ上面にわたって、帯状に形成された増し張りシートＥまたはジョイナー役物を重ね合わせて溶剤溶着又は熱融着又は接着接合する。そして、植栽緑化域を囲む見切り材Ａのコーナー部分は、見切り材Ａ同士の端部を互いに突合わせて出隅・入隅用役物で接合するようにする。
【００２５】
ここで、ジョイナー役物及び出隅・入隅用役物とは見切り材Ａの断面視において見切り材Ａの外周又は先端部分２１を含む鉛直部２の外周に沿った断面形状に形成されると共に、ジョイナー役物は短尺状に形成され出隅・入隅用役物は平面視略Ｌ字形状又は円弧状に形成されたものをいい、見切り材の端末部分を挿入しやすいように軟質から半硬質で柔軟性のある材料で形成することが好ましい。
【００２６】
また、本発明に係る見切り材Ａは、勾配屋根を緑化する際に植栽マット又は植栽トレイの位置ずれ防止を図るストッパー兼見切り材としても利用可能であり、この場合、植栽マット又は植栽トレイを勾配屋根上に平行に単列又は複列に敷設しながら防水層Ｂに固着せしめ、次に本見切り材Ａを植栽マット又は植栽トレイに平行に敷設固着しながら、これを繰り返し施工する。
【００２７】
次に、具体的実施例について説明する。
＜実施例１＞
水平部１を厚みが２ｍｍで幅が５０ｍｍの平板状に形成し、鉛直部２を厚みが２ｍｍで高さが５５ｍｍの平板状に形成し、水平部１上に鉛直部２を植栽緑化域側（図面上の左側）端辺から２０ｍｍの位置に鉛直状に起立突設させると共に、鉛直部２の先端部分２１を１０ｍｍ程の幅に軟質固着部１２とは反対側に向けて９０°折り曲げた形状となし、これら鉛直部２並びに鉛直部２から図面上の右側へ５ｍｍの部分（境界周辺部分１１）およびそれと反対側の水平部１全体を硬質塩化ビニル系樹脂で成形し、それ以外の水平部１（軟質固着部１２）を塩化ビニル系樹脂１００部に可塑剤５０部添加した軟質樹脂で全体として略逆Ｔ字状形状に押出し成形で一体成形し（図１参照）、２ｍの長さにカットして見切り材Ａを形成した。なお、鉛直部２には後加工により、水平部１から上に５ｍｍの位置に直径６ｍｍの排水孔を１００ｍｍ間隔で開設した。
得られた見切り材Ａの重量は、長さ２ｍで６０５ｇであった。
一方、建物の躯体下地Ｃ表面を覆う塩化ビニル系樹脂製シートで構成された防水層Ｂの上面に、５００×５００ｍｍ角で高さが５０ｍｍの箱状植栽トレイＤを敷並べながら順次植栽トレイＤを防水層Ｂ上に定置固定させた。
然る後に、敷設された植栽緑化域の周囲に上記見切り材Ａを、水平部１の軟質固着部１２が非植栽緑化域側となるように配置して、水平部１を植栽トレイＤに突き合せながら水平部の硬質側（軟質固着部１２以外の部分）に厚み０．５ｍｍのブチル系粘着テープを部分的につけて防水層Ｂに仮固定し、その後、水平部１の軟質固着部１２をテトラヒドロフラン（ＴＨＦ）を用いて防水層Ｂの表面に溶着することにより本見切り材Ａを防水層Ｂの上面に固着した。
【００２８】
【発明の効果】
本発明に係る緑化用見切り材は斯様に、樹脂製防水層の表面に固着される平板状の水平部と、該水平部に対して鉛直状に起立突設した平板状の鉛直部からなり、上記水平部の全部又は一部を樹脂製防水層と同種または同系統の軟質樹脂からなる軟質固着部で形成し、上記鉛直部を硬質樹脂で形成してなるので、全体として非常に軽量なものとなり、従って、建物への負荷を従来より軽減することができると共に、現場への搬入並びに施工時の取り扱いが容易で、施工時に建築物の躯体下地表面を覆う防水層を損傷する恐れがほとんどなくなる。
【００２９】
しかも、水平部の全部又は一部が前記樹脂製防水層と同種または同系統の軟質樹脂からなる軟質固着部で形成されているので、躯体下地の不陸にも容易に追随して樹脂製防水層表面にしっかりと容易に固着させることができると共に、防水層への取り付けに際して従来の防水業者による施工が可能であり、且つ液溶着により容易に固着することが可能となる。
【００３０】
また、本発明に係る緑化用見切り材によれば、容器から流出した培土による変形、雨水の排水不良による変形等もなく、強風に対しても破損する恐れもない。
更には、防水層の改修時においても、廃材が少なくてすみ、硬質樹脂で形成された部分（鉛直部並びに水平部の一部）をカットするだけで、重ね張りが可能となる。
【図面の簡単な説明】
【図１】本発明の第１実施例に係る見切り材の断面図。
【図２】第１実施例に係る見切り材の施工状態を説明する断面図。
【図３】本発明の第２実施例に係る見切り材の断面図。
【符号の説明】
Ａ：見切り材                  Ｂ：樹脂製防水層
Ｃ：躯体下地                  Ｄ：植栽マット又は植栽トレイ
１：水平部
１１：境界周辺部分            １２：軟質固着部
２：鉛直部                      ３：排水孔
【図１】
2004244932.tif 000003
【図２】
2004244932.tif 000004
【図３】
2004244932.tif 000005